(57)【特許請求の範囲】
【請求項１】
開閉式のルーバを備える枠体に設けられ、該ルーバを開閉操作するルーバ用開閉操作装置であって、前記枠体に沿って取付けられる本体ケースと、前記本体ケースにスライド自在に設けられ、前記枠体に沿う方向のスライド操作に応じて前記ルーバを開閉させるツマミケースと、前記ツマミケースに内装され、前記本体ケースの係合部に係合して前記ツマミケースのスライドをロックするロック部材と、前記ツマミケースに出没自在に設けられ、前記枠体に沿う方向の押し込み操作に応じて前記ロック部材の係合を解除するロック解除ツマミとを備えると共に、該ロック解除ツマミは、前記ツマミケースによるルーバー開閉操作とは別に、ツマミケースのスライド操作方向に押し込み操作すべく構成されていることを特徴とするルーバ用開閉操作装置。
【請求項２】
前記ロック解除ツマミは、前記ツマミケースに一対設けられ、互に近づく方向に押し込み操作されることを特徴とする請求項１に記載のルーバ用開閉操作装置。
【請求項３】
前記ロック解除ツマミは、前記ロック部材の長手方向両端側に設けられることを特徴とする請求項１又は２に記載のルーバ用開閉操作装置。
【請求項４】
前記ロック解除ツマミは、その押し込み操作に応じて前記ロック部材を係合解除方向に動作させる傾斜ガイド面を備えることを特徴とする請求項１乃至３のいずれかに記載のルーバ用開閉操作装置。
【請求項５】
前記ロック部材は、前記本体ケースの係合部に向けて付勢され、該付勢力で前記ロック解除ツマミが突出位置に復帰することを特徴とする請求項１乃至４のいずれかに記載のルーバ用開閉操作装置。
【請求項６】
前記ロック部材は、前記本体ケースの係合部に無段階状に係合することを特徴とする請求項１乃至５のいずれかに記載のルーバ用開閉操作装置。
【請求項７】
前記ルーバは、羽根支軸を介して前記枠体に開閉動作自在に設けられる複数の羽根体と、該複数の羽根体を同時動作可能に連動連結する羽根体連動機構とを備えて構成される一方、前記ツマミケースは、所定の羽根体支軸に設けられたギヤに噛合するラックを一体的に備えることを特徴とする請求項１乃至６のいずれかに記載のルーバ用開閉操作装置。
【請求項８】
前記ギヤは、隣接する複数の羽根支軸に設けられ、少なくとも、いずれか一つのギヤが前記ラックとの噛合状態を維持することを特徴とする請求項７に記載のルーバ用開閉操作装置。
【発明の詳細な説明】
【０００１】
【発明の属する技術分野】
本発明は、開閉式のルーバ（またはガラリ）を備える枠体に設けられ、そのスライド操作に応じてルーバを開閉させるルーバ用開閉操作装置に関する。
【０００２】
【従来の技術】
一般に、開閉式（羽根角度調整式）のルーバは、羽根支軸を介して枠体に開閉動作自在に設けられる複数の羽根体と、該複数の羽根体を同時動作可能に連動連結する羽根体連動機構とを備えて構成されている。この種のルーバを備える枠体には、通常、ルーバ用開閉操作装置が設けられ、該ルーバ用開閉操作装置の操作に応じてルーバが開閉される。
【０００３】
上記ルーバ用開閉操作装置としては、特開２００１−１６４８４７号公報に示されるものの如く、ツマミのスライド操作に応じてルーバを開閉させるものが知られている。上記公報に示されるルーバ用開閉操作装置は、枠体に取付けられる本体ケースと、該本体ケースにスライド自在に設けられるツマミとを備えており、該ツマミのスライド操作に応じてルーバを開閉させると共に、ツマミに形成される係合部と、本体ケースに形成される係合部との係合により、ツマミのスライドをロックし、複数の羽根体を任意の角度で固定する。また、ツマミは、本体ケースの係合部に向けて付勢されており、この付勢力に抗してツマミをロック解除方向に操作することにより、ツマミのスライド操作が許容される。
【０００４】
しかしながら、上記従来のルーバ用開閉操作装置においては、下記に示すような問題点がある。
（１）ツマミ自体を２方向（開閉操作方向およびロック解除操作方向）に操作するため、操作が難しい許りでなく、ツマミの支持構造が複雑になる。
（２）ツマミが手前側に付勢されているため、通常状態（スライドロック状態）においてツマミが手前側に大きく突出し、邪魔になる。
（３）ツマミが羽根体連動機構の連結リンクに連結されているため、ツマミと連結リンクとの間に長孔等の融通手段が必要になり、羽根体にガタが生じ易い。
（４）ツマミと羽根体連動機構との連結距離が長いため、ツマミに大きな傾き荷重（モーメント）が作用し、ツマミの円滑なスライドが阻害される。
（５）ツマミのスライド操作範囲が狭いため、羽根体の角度調整が難しい。
【０００５】
【発明が解決しようとする課題】
本発明は、上記の如き問題点を一掃すべく創案されたものであって、スライド操作に応じてルーバを開閉させるものでありながら、ルーバの開閉操作を行うツマミケースと、該ツマミケースのスライドロックを解除操作するロック解除ツマミとを別々に備えることができ、したがって、ロック解除ツマミを把持して押し込んだ解除状態がそのままツマミケースを把持したと同様の状態となってルーバの開閉操作を行うことができ、各操作が一元化した連繋操作により操作方向を統一し、操作性を向上させることができる許りでなく、操作部材の支持構造を簡略化することができ、しかも、操作部材が手前側に突出して邪魔になるような不都合も回避することができるルーバ用開閉操作装置を提供することを目的とする。
【０００６】
【課題を解決するための手段】
上記課題を解決するために本発明のルーバ用開閉操作装置は、開閉式のルーバを備える枠体に設けられ、該ルーバを開閉操作するルーバ用開閉操作装置であって、前記枠体に沿って取付けられる本体ケースと、前記本体ケースにスライド自在に設けられ、前記枠体に沿う方向のスライド操作に応じて前記ルーバを開閉させるツマミケースと、前記ツマミケースに内装され、前記本体ケースの係合部に係合して前記ツマミケースのスライドをロックするロック部材と、前記ツマミケースに出没自在に設けられ、前記枠体に沿う方向の押し込み操作に応じて前記ロック部材の係合を解除するロック解除ツマミとを備えると共に、該ロック解除ツマミは、前記ツマミケースによるルーバー開閉操作とは別に、ツマミケースのスライド操作方向に押し込み操作すべく構成されていることを特徴とするものである。
【０００７】
【発明の実施の形態】
以下、本発明の実施の形態を好適な実施の形態として例示するルーバ用開閉操作装置を図面に基づいて詳細に説明する。図１は開閉式のルーバが設けられた枠体の正面図である。この図に示すように、枠体１は、左右一対の縦枠２と、該縦枠２間に位置する中枠３と、上下一対の横枠４とを備えて構成される。各枠材２、３、４で囲まれる左右一対の窓部５には、それぞれ開閉式（羽根角度調整式）のルーバ６が設けられる一方、各縦枠２の正面には、それぞれルーバ用開閉操作装置７（以下、開閉操作装置という。）が設けられ、各開閉操作装置７の操作に応じて対応するルーバ６が開閉される。尚、左右の窓部５に設けられるルーバ６は、左右勝手違いであり、その構成は略同様であるため、以降は右側窓部５に設けられるルーバ６について説明する。
【０００８】
図２はルーバの正面図、図３はルーバの平面図、図４はルーバの右側面図、図５はルーバのＡ−Ａ断面図である。これらの図に示すように、ルーバ６は、窓部５に上下方向所定間隔を存して並設される複数の羽根体８と、該羽根体８の左端（非連結側）を中枠３に回動自在に支持させる非連結側羽根支軸９と、羽根体８の右端（連結側）を縦枠２に回動自在に支持させる連結側羽根支軸１０と、複数の羽根体８を同時開閉動作可能に連動連結する羽根体連動機構１１とを備えて構成される。羽根体８は、中空状の樹脂成型品であり、その両端部が左右の羽根支軸９、１０に嵌合支持される。非連結側羽根支軸９は、羽根体８の左端部に嵌合する羽根体嵌合部９ａと、中枠３に回動自在に支持される軸部９ｂと、中枠３からの抜止めをする抜止め部９ｃとを備えて構成され、中枠３に独立的に組み付けられる。一方、連結側羽根支軸１０は、予め連結プレート１２に設けられ、アッセンブリとして縦枠２に組み付けられる。各連結側羽根支軸１０は、羽根体８の右端部に嵌合する羽根体嵌合部１０ａと、連結プレート１２に回動自在に支持される軸部１０ｂと、連結プレート１２からの抜止めをする抜止め部１０ｃとを備えて構成される。
【０００９】
羽根体連動機構１１は、各連結側羽根支軸１０に一体的に設けられる連結アーム１３と、各連結アーム１３に突設される連結ピン１４と、該連結ピン１４同士を連結する連結リンク１５とを備える。つまり、何れかの連結側羽根支軸１０が回動すると、連結リンク１５を介して連結される全ての連結側羽根支軸１０が同様に回動し、各羽根体８を同時に開閉動作させるように構成される。上記連結側羽根支軸１０のうち、隣接する所定の連結側羽根支軸１０には、それぞれギヤ１６が設けられる。ギヤ１６は、羽根体８の回動支点を中心とする円盤形状のもので、その外周部にセクタギヤ状の噛合歯が形成される。また、本実施形態のギヤ１６は、連結ピン１４を備えており、連結アーム１３としても機能するように構成される。
【００１０】
図６は開閉操作装置の正面図、図７は開閉操作装置の側面図、図８は開閉操作装置の背面図、図９は開閉操作操作の平面図、図１０は開閉操作装置のＢ−Ｂ断面図、図１１は開閉操作装置のＣ−Ｃ断面図である。これらの図に示すように、開閉操作装置７は、縦枠２の正面に取付けられる本体ケース１７と、該本体ケース１７に上下スライド自在に設けられるツマミケース１８と、該ツマミケース１８内で本体ケース１７の係合部１７ａに係合し、ツマミケース１８のスライドをロックするロック部材１９と、ツマミケース１８の上下両端部に出没自在に設けられ、その押し込み操作に応じてロック部材１９の係合を解除する一対のロック解除ツマミ２０とを備えて構成される。
【００１１】
本体ケース１７は、縦枠２に沿うプレート状のもので、その表面には、上下方向に所定間隔を存して複数の係合歯を有する係合部１７ａと、上下方向を向く長孔状のガイド孔１７ｂとが左右振り分け状に形成される一方、本体ケース１７の裏面には、上記ガイド孔１７ｂに通じる中空状のガイド凸部１７ｃが形成される。さらに、本体ケース１７は、その上下両側に取付孔１７ｄを有し、該取付孔１７ｄに挿通される固定ビス２１を介して縦枠２に固定される。そのとき、上記ガイド凸部１７ｃは、縦枠２に形成される取付孔に嵌入し、ガイド孔１７ｂを介して縦枠２の内外を連通させる。
【００１２】
ツマミケース１８は、平面視凵字状のもので、その右側オフセット位置には、後方に突出する嵌合凸部１８ｃが一体形成される。嵌合凸部１８ｃは、本体ケース１７のガイド孔１７ｂに嵌入し、ガイド凸部１７ｃの左右内側面で上下方向スライド自在に摺動案内される。また、嵌合凸部１８ｃの基端部には、左右方向を向く上下一対の抜止めピン２２が貫通状に打ち込まれており、該抜止めピン２２の左右両端部が、本体ケース１７に形成される長孔１７ｅに係合することにより、ツマミケース１８が抜止めされる。嵌合凸部１８ｃの先端部には、上下方向に所定間隔を存して多数の噛合歯を有するラック１８ｄが一体形成される。ラック１８ｄは、前記ギヤ１６に噛合しており、その上下動によりギヤ１６を回動させる。つまり、ツマミケース１８を上下方向にスライド操作すると、ツマミケース１８に一体形成されるラック１８ｄがギヤ１６を回動させ、それに伴ってルーバ６を構成する羽根体８が開閉動作される。
【００１３】
本実施形態においては、前述したように、隣接する二つの連結側羽根支軸１０にそれぞれギヤ１６を備えており、この上下のギヤ１６に対してラック１８ｄが噛合される。ラック１８ｄは、ルーバ閉止位置近傍において上側ギヤ１６のみに噛合する一方、ルーバ開放位置近傍において下側ギヤ１６のみに噛合し、また、ルーバ半開位置において両方のギヤ１６に同時噛合するようにスライド動作範囲が設定される。これにより、ラック１８ｄの長さ寸法を抑えつつ、ツマミケース１８のスライド操作範囲を可及的に広くすることができ、その結果、ツマミケース１８の操作量に対するルーバ６の動作量を小さくし、精度の良い羽根角度調整を行うことが可能になる。
【００１４】
図１２の（Ａ）はロック部材およびロック解除ツマミの分解正面図、（Ｂ）はロック部材およびロック解除ツマミの分解側面図、（Ｃ）はロック部材およびロック解除ツマミの分解背面図である。これらの図に示すように、ロック部材１９は、上下方向に長いラック状のもので、その後面には、本体ケース１７の係合部１７ａに係合する係合歯１９ａが上下方向に所定間隔を存して多数形成され、該係合歯１９ａが係合部１７ａに無段階状に係合することにより、ルーバ６の羽根角度を任意の角度で固定することが可能になる。ロック部材１９は、その左右両側面に前後方向を向いて形成されるガイド溝１９ｂと、ツマミケース１８の内側面に形成されるガイド凸部１８ｅとの嵌合によって、ツマミケース１８内で前後スライド自在に支持される。さらに、ロック部材１９とツマミケース１８との間には、上下一対のバネ２３が介装されており、該バネ２３によってロック部材１９が係合部１７ａに向けて付勢される。これにより、常時はロック部材１９が係合部１７ａに係合し、ツマミケース１８のスライドがロックされる。
【００１５】
ロック解除ツマミ２０は、ツマミケース１８の上下両端部に出没自在に嵌合しており、その前面に形成される係合孔２０ａと、ツマミケース１８に形成される係合突起（図示せず）との係合により、ツマミケース１８から抜止めされる。ロック解除ツマミ２０は、ロック部材１９の端部が入り込む凹部２０ｂを有し、さらに凹部２０ｂの左右両側には、ロック部材１９をロック解除方向へ動作させるための傾斜ガイド面２０ｃが形成される。つまり、ロック部材１９の左右両側部にも、ロック解除ツマミ２０の各傾斜ガイド面２０ｃに接当する複数の傾斜面１９ｃが形成されており、上下のロック解除ツマミ２０を互に近づく方向に指で押し込み操作すると、各ロック解除ツマミ２０の傾斜ガイド面２０ｃが、ロック部材１９の傾斜面１９ｃを前方に押し出すように作用する。これにより、ロック部材１９と係合部１７ａとの係合が解除され、ツマミケース１８のスライド操作が許容される。一方、ツマミケース１８をスライド操作した後、ロック解除ツマミ２０から指を離すと、バネ２３の付勢力でロック部材１９がスライドロック位置に復帰するのに伴い、その傾斜面１９ｃがロック解除ツマミ２０の傾斜ガイド面２０ｃを突出方向に押し出すように作用し、ロック解除ツマミ２０が突出姿勢に復帰することになる。尚、２０ｄは各ロック解除ツマミ２０から本体ケース１７に沿って延出するスライドガイド片である。
【００１６】
叙述の如く構成された本発明の実施の形態において、ルーバ６の羽根角度を調整する場合は、ツマミケース１８の上下に設けられるロック解除ツマミ２０を、互に近づく方向に２本の指で押し込み操作する。上下のロック解除ツマミ２０が押し込み操作されると、バネ２３の付勢力に抗してロック部材１９が本体ケース１７の係合部１７ａから離れ、ツマミケース１８の上下スライド操作が許容される。この状態でツマミケース１８を枠体２に沿って上下方向にスライド操作すると、ツマミケース１８に一体形成されるラック１８ｄが連結側羽根支軸１０に設けられるギヤ１６を回動させ、それに伴ってルーバ６の各羽根体８が同時に開閉動作する。各羽根体８が所望の角度になったとき、ロック解除ツマミ２０から指を離すと、バネ２３の付勢力でロック部材１９が係合部１７ａに再び係合する。これにより、ツマミケース１８のスライドがロックされ、各羽根体８がその角度で固定される。
【００１７】
この様に、本実施形態におけるルーバ６の開閉操作装置７は、縦枠２に沿って取付けられる本体ケース１７と、該本体ケース１７にスライド自在に設けられ、縦枠２に沿う方向のスライド操作に応じてルーバ６を開閉させるツマミケース１８と、該ツマミケース１８に内装され、本体ケース１７の係合部１７ａに係合してツマミケース１８のスライドをロックするロック部材１９と、ツマミケース１８に出没自在に設けられ、縦枠２に沿う方向の押し込み操作に応じてロック部材１９の係合を解除するロック解除ツマミ２０とを備えて構成されるため、スライド操作に応じてルーバ６を開閉させるものでありながら、ルーバ６の開閉操作を行うツマミケース１８と、該ツマミケース１８のスライドロックを解除操作するロック解除ツマミ２０とを別々に備えることができ、したがって、ロック解除ツマミ２０を把持して押し込んだ解除状態がそのままツマミケース１８を把持したと同様の状態となってルーバ６の開閉操作を行うことができ、各操作が一元化した連繋操作により行なわれ操作性を向上させることができる許りでなく、各操作部材の支持構造を簡略化することができ、しかも、操作部材が手前側に突出して邪魔になるような不都合も回避することができる。
【００１８】
また、ロック解除ツマミ２０は、その押し込み操作方向が、ツマミケース１８のスライド操作方向と同じ方向であるため、操作方向を統一し、操作性の向上を図ることができる。
【００１９】
また、ロック解除ツマミ２０は、ツマミケース１８に一対設けられ、互に近づく方向に押し込み操作されるため、２本の指で容易にロック解除操作を行うことができる許りでなく、その２本の指でロック解除状態を維持しながらツマミケース１８をスライド操作することができる。
【００２０】
また、ロック解除ツマミ２０は、ロック部材１９の長手方向両端側に設けられるため、ロック解除ツマミ２０の押し込み操作力をロック部材１９の両端側に作用させ、確実にロック解除側に動作させることができる。
【００２１】
また、ロック解除ツマミ２０は、その押し込み操作に応じてロック部材１９を係合解除方向に動作させる傾斜ガイド面２０ｃを備えるため、複雑な機構を設けることなくロック部材１９を係合解除動作させることができ、その結果、部品点数の削減および構造の簡略化が図れる。
【００２２】
また、ロック部材１９は、本体ケース１７の係合部１７ａに向けてバネ２３で付勢され、該付勢力でロック解除ツマミ２０が突出位置に復帰するため、ロック解除ツマミ２０の復帰バネが不要になり、その結果、部品点数の削減および構造の簡略化が図れる。
【００２３】
また、ロック部材１９は、本体ケース１７の係合部１７ａに無段階状に係合するため、ルーバ６の羽根角度を無段階状に調整することができ、その結果、状況に応じた最適な羽根角度を得ることができる。
【００２４】
また、ルーバ６は、羽根支軸９、１０を介して縦枠２（中枠３）に開閉動作自在に設けられる複数の羽根体８と、該複数の羽根体８を同時動作可能に連動連結する羽根体連動機構１１とを備えて構成される一方、開閉操作装置７のツマミケース１８は、所定の羽根支軸１０に設けられたギヤ１６に噛合するラック１８ｄを一体的に備えるため、長孔等の融通手段を介することなく開閉操作装置７をルーバ６に連繋し、羽根体８のガタを防止することができ、しかも、開閉操作装置７とルーバ６との連結距離を可及的に短くし、モーメントによる操作荷重の増加を回避することができる。
【００２５】
また、ギヤ１６は、隣接する複数の羽根支軸１０に設けられ、少なくとも、いずれか一つのギヤ１６がラック１８ｄとの噛合状態を維持するため、ラック１８ｄの長さ寸法を抑えつつ、ツマミケース１８のスライド操作範囲を可及的に広くすることができ、その結果、ツマミケース１８の操作量に対するルーバ６の動作量を小さくし、精度の良い羽根角度調整を行うことができる。
【００２６】
【発明の効果】
本発明は、開閉式のルーバ６を備える枠体１に設けられ、該ルーバ６を開閉操作するルーバ用開閉操作装置７であって、前記枠体１に沿って取付けられる本体ケース１７と、前記本体ケース１７にスライド自在に設けられ、前記枠体に沿う方向のスライド操作に応じて前記ルーバ６を開閉させるツマミケース１８と、前記ツマミケース１８に内装され、前記本体ケース１７の係合部に係合して前記ツマミケース１８のスライドをロックするロック部材１９と、前記ツマミケース１８に出没自在に設けられ、前記枠体１に沿う方向の押し込み操作に応じて前記ロック部材１９の係合を解除するロック解除ツマミ２０とを備えると共に、該ロック解除ツマミ２０は、前記ツマミケース１８によるルーバー開閉操作とは別に、ツマミケース１８のスライド操作方向に押し込み操作すべく構成されていることにより、
スライド操作に応じてルーバ６を開閉させるものでありながら、ルーバ６の開閉操作を行うツマミケース１８と、該ツマミケース１８のスライドロックを解除操作するロック解除ツマミ２０とが別々に備えることができ、したがって、ロック解除ツマミ２０を把持して押し込んだ解除状態がそのままツマミケース１８を把持したと同様の状態となってルーバ６の開閉操作を行うことができ、各操作が一元化した連繋操作により操作方向を統一し、操作性を向上させることができる許りでなく、操作部材の支持構造を簡略化することができ、しかも、操作部材が手前側に突出して邪魔になるような不都合も回避することができる。
【図面の簡単な説明】
【図１】開閉式のルーバが設けられた枠体の正面図である。
【図２】ルーバの正面図である。
【図３】ルーバの平面図である。
【図４】ルーバの右側面図である。
【図５】ルーバのＡ−Ａ断面図である。
【図６】開閉操作装置の正面図である。
【図７】開閉操作装置の側面図である。
【図８】開閉操作装置の背面図である。
【図９】開閉操作操作の平面図である。
【図１０】開閉操作装置のＢ−Ｂ断面図である。
【図１１】開閉操作装置のＣ−Ｃ断面図である。
【図１２】（Ａ）はロック部材およびロック解除ツマミの分解正面図、（Ｂ）はロック部材およびロック解除ツマミの分解側面図、（Ｃ）はロック部材およびロック解除ツマミの分解背面図である。
【符号の説明】
１      枠体
２      縦枠
３      中枠
４      横枠
６      ルーバ
７      ルーバ用開閉操作装置
８      羽根体
９      羽根支軸
１０    羽根支軸
１１    羽根体連動機構
１３    連結アーム
１５    連結リンク
１６    ギヤ
１７    本体ケース
１７ａ  係合部
１８    ツマミケース
１８ｄ  ラック
１９    ロック部材
２０    ロック解除ツマミ
２０ｃ  傾斜ガイド面
２３    バネ
【図１】
0003870335.tif 000002
【図２】
0003870335.tif 000003
【図３】
0003870335.tif 000004
【図４】
0003870335.tif 000005
【図５】
0003870335.tif 000006
【図６】
0003870335.tif 000007
【図７】
0003870335.tif 000008
【図８】
0003870335.tif 000009
【図９】
0003870335.tif 000010
【図１０】
0003870335.tif 000011
【図１１】
0003870335.tif 000012
【図１２】
0003870335.tif 000013